(57)【要約】【課題】発泡プラスチック及びＰＥフィルムと板紙を貼り合わせたものと同等の床面保護能および作業性を有し、かつ使用後は紙に再生可能である、木質系床材用として好適な床養生材を提供する。【解決手段】コートボール紙と、波状立体加工段ボール原紙の片面にベース紙を貼り合わせた片面ダンボールのベース紙とを貼り合わせてなり、コートボール紙は、その表面が防水および防滑加工されてなり、ならびに片面ダンボールの波状立体加工段ボール原紙は、その表面が防滑加工されてなる、ことを特徴とする床養生材。【選択図】図１
2019196588.tif 000002
【特許請求の範囲】
【請求項１】
コートボール紙と、波状立体加工段ボール原紙の片面にベース紙を貼り合わせた片面ダンボールのベース紙とを貼り合わせてなり、
コートボール紙は、その表面が防水および防滑加工されてなり、ならびに
片面ダンボールの波状立体加工段ボール原紙は、その表面が防滑加工されてなる、
ことを特徴とする床養生材。
【請求項２】
厚さが２〜４ｍｍ、質量が４００〜８００ｇ/ｍ２である請求項１に記載の床養生材。
【請求項３】
表面が防滑加工されてなる波状立体加工段ボール原紙が床面と接触して用いられる請求項１または２に記載の床養生材。
【請求項４】
床面が、建築中の建物の木質系フローリングである請求項３に記載の床養生材。
【請求項５】
コートボール紙に長手方向に罫線、および波状立体加工段ボール原紙に切り込みをそれぞれ立ち上がり用に設けてなる請求項１〜４のいずれか１項に記載の床養生材。
【請求項６】
コートボール紙および波状立体加工段ボール原紙に、横方向にそれぞれ罫線を折りたたみ用に設けてなる請求項１〜５のいずれか１項に記載の床養生材。
【請求項７】
請求項１〜６のいずれか１項に記載の床養生材を、床面に敷き詰めることにより床面を養生することを特徴とする床面の養生方法。
【請求項８】
床面が、建築中の建物の木質系フローリングである請求項７に記載の床面の養生方法。
【請求項９】
床養生材が使用後に古紙再生用に回収される請求項７または８に記載の床面の養生方法。
【発明の詳細な説明】
【技術分野】
【０００１】
本発明は、床養生材およびそれを用いた床面の養生方法に関する。さらに詳しくは、本発明は、例えば建設中の建物の床面、特に木質系フローリング材等の施工後に木質の床面を保護するための床養生材およびそれを用いた床面の養生方法に関し、使用後は回収して紙に再生し得る紙製の床養生材に関するものである。
【背景技術】
【０００２】
木質系フローリング材の床養生材としては、ポリエチレン（PE）フィルムを貼った紙の裏面に発泡プラスチックを貼ったものが市販されている。この床養生材は木質系フローリング材等の保護機能にすぐれているが、表面のＰＥフィルムおよび裏面の発泡プラスチックスが製紙原料とならない古紙禁忌品となるために、使用後の古紙回収工程に供給され得ない。
【０００３】
また、板紙等に使用される古紙材用に回収され得る、紙製床養生材としては、段ボールシート材料を使用したものがある、しかしながら、この材料は、裏面が平面であるために、床面に異物が存在した場合に、床面との擦れにより床面を傷つけてしまうことになる。また、この材料は、発泡プラスチックを貼った床養生材に比べて防滑性、クッション性に劣り、工事現場での作業性が著しく劣る難点がある。
【発明の概要】
【発明が解決しようとする課題】
【０００４】
本発明は、汎用品である発泡プラスチックおよびＰＥフィルム（いずれも製紙原料とならない古紙禁忌品である）と板紙を貼り合わせたものと同等の床面保護能および作業性を有し、かつ使用後は紙に再生可能である、木質系床材用として好適な床養生材を提供することを目的とする。さらに、本発明は、木質系床材の表面に異物があった場合にも床面を傷つけない機能を有する床養生材を提供することを目的とする。さらに、本発明は、施工現場での防滑性に優れ、取り扱い性の良い、木質系床材用として好適な床養生材を提供することを目的とする。
【課題を解決するための手段】
【０００５】
本発明によれば、上記の課題を解決するために、以下の発明が提供される。
（１）コートボール紙と、波状立体加工段ボール原紙の片面にベース紙を貼り合わせた片面ダンボールのベース紙とを貼り合わせてなり、
コートボール紙は、その表面が防水および防滑加工されてなり、ならびに
片面ダンボールの波状立体加工段ボール原紙は、その表面が防滑加工されてなる、
ことを特徴とする床養生材。
（２）厚さが２〜４ｍｍ、質量が４００〜８００ｇ/ｍ２である上記（１）に記載の床養生材。
（３）表面が防滑加工されてなる波状立体加工段ボール原紙が床面と接触して用いられる上記（１）または（２）に記載の床養生材。
（４）床面が、建築中の建物の木質系フローリングである上記（３）記載の床養生材。
（５）コートボール紙に長手方向に罫線、および波状立体加工段ボール原紙に切り込みをそれぞれ立ち上がり用に設けてなる上記（１）〜（４）のいずれかに記載の床養生材。
（６）コートボール紙および波状立体加工段ボール原紙に、横方向にそれぞれ罫線を折りたたみ用に設けてなる上記（１）〜（５）のいずれかに記載の床養生材。
（７）上記（１）〜（６）のいずれかに記載の床養生材を、床面に敷き詰めることにより床面を養生することを特徴とする床面の養生方法。
（８）床面が、建築中の建物の木質系フローリングである上記（７）に記載の床面の養生方法。
（９）床養生材が使用後に古紙再生用に回収される上記（７）または（８）に記載の床面の養生方法。
【発明の効果】
【０００６】
本発明によれば、汎用品である発泡プラスチックおよびＰＥフィルム（いずれも製紙原料とならない古紙禁忌品である）と板紙を貼り合わせたものと同等の床面保護能および作業性を有し、かつ使用後は紙に再生可能である、木質系床材用として好適な床養生材を提供し得る。たとえば、建設中の建物の木質系床材の傷つき、汚れを防止し、使用後は古紙として回収し、紙に再生され得る。
【図面の簡単な説明】
【０００７】
【図１】本発明に係る床養生材の一例を示す断面模式図。
【図２】本発明に係る床養生材における波状立体加工段ボール紙の一例を示す平面図。
【図３】本発明に係る床養生材の一例を示す斜視図。
【図４】本発明に係る床養生材の一例を示す斜視図。
【発明を実施するための形態】
【０００８】
本発明の床養生材は、建設中の建物の床面、特に木質系床材の傷つき、汚れを防止するために床面に敷き詰めて使用される。そのため、一定の剛度と緩衝性を有するとともに、床面に砂等の異物がある場合でも床面を傷つけないことを担保することを目的として構成されている。すなわち、本発明の床養生材は、耐圧縮性のあるコートボール紙と、クッション性のある波状立体加工段ボール原紙の片面にベース紙（ライナー）を貼り合わせた片面ダンボールのベース紙とを貼り合わせてなる。コートボール紙と片面ダンボールのベース原紙とを貼り合わせは、水溶性高分子等の水溶性接着剤または水解性接着剤を用いるのが好適であり、それらの接着剤は特に制限されない。
【０００９】
本発明の床養生材は、建設中の建物の床面、特に木質系床材の上に敷き詰めた状態で、一般の工事現場で発生する可能性のある落下物等による衝撃を吸収する耐衝撃性を備えるとともに、作業上の必要性から床に置かれる工具等の重量物によって床面が変形することを防止し得る耐圧縮性等を有する。
【００１０】
コートボール紙はオモテ面が平滑性のある白、裏面がざらつきのあるネズミ色の厚紙であり、オモテ面は印刷適性に優れる。本発明の床養生材において、コートボール紙は、そのオモテ面が防水および防滑加工されてなる。
【００１１】
防水加工および防滑加工は、特に制限されないが、防水ニスおよび防滑ニスをコートボール紙のオモテ面に塗布するのが好適であり、塗布はたとえば印刷方式によることができる。コートボール紙のオモテ面には、商品名等の必要事項が印刷され得る。
【００１２】
図１は、本発明に係る床養生材の一例を示す断面模式図である。図１において、１はコートボール紙、２は波状立体加工段ボール原紙、３は片面ダンボールのベース紙、４は水溶性接着剤、５は空洞、６は印刷面、７は防水ニス面、８は防滑加工面を示す。
【００１３】
一方、片面ダンボールの波状立体加工段ボール原紙において、波状の立体加工形状は特に制限されず、例えば図２にその一例を示す。図２は、本発明に係る床養生材における波状立体加工段ボール紙の一例を示す平面図である。その波状立体加工段ボール原紙の面は、防滑ニス等により防滑加工されてなる。
【００１４】
本発明の床養生材においては、波状立体加工段ボール原紙が床材、特に木質系床材と接触して用いられるので、床材表面に砂等の異物があった場合に波状の凹部に異物を誘い込み、擦れによる床面の傷つきを防止する。また、凸部に異物が接触した場合でも、コートボール紙と段ボール原紙との間が空洞であるために紙に食い込み、床材との擦れを防止する。木質系床材としては、好適には建築中の建物の木質系フローリングが挙げられる。
【００１５】
また、本発明の床養生材においては、コートボール紙の面に防水および防滑加工、そして波状立体加工段ボール原紙の面に防滑加工を施すことにより、現場での作業性向上を図り得る。すなわち、床材に接する波状立体加工段ボール紙の面に防滑加工することにより、設置の際の作業性を向上させ、オモテ面材のコートボール紙の面に防水および防滑加工を施すことにより、作業者の転倒等の事故発生の可能性を低下させ得る。また、コートボール紙の面への防水加工により、糊のこぼれ等、建築現場で発生する液体汚れから床面を保護し得る。
【００１６】
本発明の床養生材は、厚さが２〜４ｍｍ、質量が４００〜８００ｇ/ｍ２であるのが好適である。
【００１７】
本発明の１実施態様において、床養生材は、オモテ面であるコートボール紙に長手方向に罫線、および裏面である波状立体加工段ボール原紙に切り込みをそれぞれ立ち上がり用に設けてなる。これにより、廊下等で使用する際に、壁との境界で例えば５〜１０ｃｍ程度の立ち上がりを持たせることができ、作業性の向上と壁面の保護も図り得る。
【００１８】
本発明の１実施態様において、床養生材は、コートボール紙および波状立体加工段ボール原紙に、横方向にそれぞれ罫線を折りたたみ用に設けてなる。この罫線で折りたたむことにより作業現場への搬入を容易にし得る。
【００１９】
図３は、本発明に係る床養生材の一例（４つ折り）を示す斜視図である。図３において、１はコートボール紙、２は波状立体加工段ボール原紙、９は長手方向に設けられた罫線、１０は長手方向に設けられた切れ込み、１１は横方向に設けられた罫線を示す。
【００２０】
図４は、本発明に係る床養生材の一例（２つ折り）を示す斜視図である。図４において、（ａ）はオモテ面、（ｂ）は裏面を示す。 
【００２１】
上記の本発明の床養生材を床面に敷き詰めることにより床面を養生することにより床面の養生方法を提供し得る。床面は、好適には建築中の建物の木質系フローリングが挙げられる。本発明の床面の養生方法においては、床養生材が紙製であるので、使用後に資源ごみとして古紙再生用に回収され得る。
【産業上の利用可能性】
【００２２】
本発明によれば、主として住宅の建設現場で使用される床養生材を提供し得る。
【符号の説明】
【００２３】
１    コートボール紙
２    波状立体加工段ボール原紙
３    片面ダンボールのベース紙
４    水溶性接着剤
５    空洞
９、１１    罫線
１０    切れ込み
【図１】
2019196588.tif 000003
【図２】
2019196588.tif 000004
【図３】
2019196588.tif 000005
【図４】
2019196588.tif 000006